(57)【要約】      （修正有）【課題】カーテンがどの方向から引かれた場合でも確実に房掛けを自己解除する房掛金具を提供する。【解決手段】密着巻きのコイルスプリングや円筒状のウレタン等の弾性部材そのものを房掛金具の胴体１２として用い、該胴体の両端をネジ１３，１４により取付金具１０および引掛金具１１の双方に確実に固定すると共に、該胴体の復元力を利用して、確実に中立点に戻すことの可能な、且つ、摩擦摩耗する部位がない簡単な構成としたことを特徴とする簡易型自己解除房掛け金具を提供する。【選択図】図２
2008035980.tif 000002
【特許請求の範囲】
【請求項１】
電動カーテンの使用時及びカーテンを強制的に閉じた時に房掛けを自己解除できる房掛金具において、引掛頭および引掛腕を有する引掛部材、取付金具、および、前後左右に自由に回転するように弾性部材自身を胴体とし、前記引掛部材と取付金具の双方に該胴体を複数個のネジ手段で固定したことを特徴とする簡易型自己解除房掛金具。
【請求項２】
請求項１の房掛金具において、弾性部材を密着巻きのコイルスプリングとし、両端を円周方向に配列されたネジ手段で固定したことを特徴とする簡易型自己解除房掛金具。
【請求項３】
請求項１の房掛金具において、弾性部材をウレタンゴム等の樹脂系材料とし、両端にネジインサートを配してネジ手段で固定したことを特徴とする簡易型自己解除房掛金具。
【発明の詳細な説明】
【技術分野】
【０００１】
本発明は電動カーテンの使用時及びカーテンを強制的に閉じた時に房掛けを自己解除できる房掛金具に関する改良である。
【背景技術】
【０００２】
最近、電動カーテンが養護施設や病院で使用されてきている。これは、寝たきりでもリモコン操作（遠隔操作）でカーテンの開閉が自由にできるからである。しかしながら、そこにいる看護人とかお付の人は手でカーテンを開ける場合もあるし、カーテンを房で房掛金具に止めることもある。このようにカーテンが房掛けに止められた状態で電動カーテンのリモコンが操作され、このようなことが頻繁になると電動カーテンやカーテンが損傷する。
【０００３】
このようにカーテンが房掛けに止められた状態で電動カーテンのリモコンが操作された際にカーテンの房紐が自己解除されて、カーテンの開閉に支障をきたさない房掛金具が考案されている。
しかしながら、これらの房掛金具は充分満足いくものでなく３つの欠点がある。
１つは房掛金具の引掛部材が取付面から見て時計および反時計回りに回転するだけなので房紐の掛かり方如何では解除されないことが生じる。例えば、取付面に垂直に引かれた場合は解除されない。
２つ目は房紐が運悪くL字の引掛け部材の底部に掛かっている場合には、カーテンが引かれても引掛け部材を回転させることができなく、完全にロックしてしまう。
【特許文献１】特許公開２００４−２１６０７９  ３つ目は球面部材を用いて全方向に自由に回転する構成の自己解除型房掛け金具は構成が複雑で、大型化するということと、更に、回転時に球座部分で摩擦が生じるため使用している間に球面座が摩耗したり、或いは、房掛けをしていない状態で引掛部材が中立点に完全に戻らないという欠点がある。
【特許文献２】特願２００６−１０３７０８
【０００４】
従って、一般家庭でもカーテンを閉じる際に、房掛けを外さずに、カーテンをどのような方向から引かれても、房紐を解き、束ねられたカーテンを安全確実に閉じることが可能となり、日々の利便性も増す上でより構造が簡単で安価な自己解除型房掛けが最近望まれている。
【発明の開示】
【発明が解決しようとする課題】
【０００５】
この様な問題解決のため、カーテンがどの方向から引かれた場合でも確実に房掛けを自己解除するように密着巻きのコイルスプリングや円筒状のウレタン等の弾性部材そのものを房掛金具の胴体として用い、該胴体の両端をネジにより取付金具および引掛金具の双方に確実に固定すると共に、該胴体の復元力を利用して、確実に中立点に戻すことの可能な、且つ、摩擦摩耗する部位がない簡単な構成としたことを特徴とする簡易型自己解除房掛け金具を提供する。
【課題を解決するための手段】
【０００６】
引掛頭および引掛腕を有する引掛部材、柱に直接固定される取付金具、および、前後左右に自由に回転するように密着巻きのコイルスプリングを胴体とし、前記引掛部材と取付金具の双方に形成された円周溝に前記胴体を挿嵌し、円周上に配置された複数個のネジで半径方向に固定したことを特徴とする簡易型自己解除房掛金具。
或いは、円筒状のウレタン等の弾性部材を胴体とし、該胴体の両端に鉄系ネジインサートを配し、該ネジインサートを利用して、前記引掛部材および取付金具をネジで軸方向から固定したことを特徴とする簡易型自己解除房掛金具。
【発明の効果】
【０００７】
以上説明したように、本房掛金具は３個の主要部材である引掛金具、取付金具、および全方向回転自由に首を振る胴体から構成されており、確実に前記部材を固定するために円周方向からのネジ固定やインサートを用いた固定方法を採ることで構造が簡単でより安価となった。また、摩擦摩耗する部位が全くなくなることで、長年の使用が可能となり、更に、房掛けをしていない場合でも引掛け部材は確実に中立点にあり、見た目が良いという利点がある。
【発明を実施するための最良の形態】
【０００８】
電動カーテンをリモコンで操作する場合は、セットで本房掛金具を使用し、カーテンを不本意に房紐で束ねる場合のリモコン操作に対しても安全を確保する。更に、束ねられたカーテンを少し強く引いて房掛を解除したいという通常の使い方をしたい場合にも本自己解除房掛金具を使用すると便利である。
【実施例１】
【０００９】
図１は電動カーテンと本発明の房掛金具を取り付けた状況を全体構成で示すものである。電動カーテン１は複数のランナ２を有しており、該ランナ２にカーテン３の上端がクリップ等で固定され、リモコン操作でカーテン３が開閉される。図１はカーテン３が開けられた位置で、カーテンの房４の紐５、６で柱７に取り付けられた房掛金具８により束ねられた状態を示す。房紐６は該房掛金具８の底部に常に掛けられ、房紐５はカーテンを束ねる際には該房掛金具８の上部に引掛けられる。
【００１０】
図２は本発明による房掛金具の実施例を断面図で示したものである。房掛金具８は取付金具１０、引掛部材１１、胴体部１２から構成されている。該引掛部材１１には、溝１１c、１１d、１１eが形成されており、該溝に対して交差するように円周上に複数のタップ１１fが立てられている。また、前記取付金具１０は２個の取付穴１０aを有しており、そして、同様に溝１０c、１０d、１０eが形成されており、該溝に対して交差するように円周上に複数のタップ１０fが立てられている。
更に、胴体部１２は密着巻きのコイルスプリングであり、該コイルスプリング１２の一端は前記取付金具１０に形成された溝１０c、１０d、１０eに比較的タイトに挿嵌し、複数個のネジ１３によって、前記コイルスプリング１２は内径溝１０cに押圧されて確実に固定される。そして、該コイルスプリング１２の他端は前記取付金具１１に形成された溝１１c、１１d、１１eに比較的タイトに挿嵌し、複数個のネジ１４によって、前記コイルスプリング１２は内径溝１１cに押圧されて確実に固定される。従って、引掛部材１１は如何なる方向へも回転し、且つ、該引掛部材への荷重が解除された時には即座に中立点に復帰する構成となっている。
また、前記引掛部材１１はカーテンの房紐５、６を引掛けるための引掛頭１１aと分岐した腕１１bを有し、取付金具１０の背部１０ｂと該腕１１bの間に底部空間９aおよび上部開口部９ｂを形成する。
該空間９aには、房紐６の一端が常時掛けられ、前記上部開口部９bにはカーテンを束ねた後の房紐５が掛けられる構成となっている。
【００１１】
図３は本発明による房掛金具の他の実施例を断面図で示したものである。実施例1に比較して、胴体部１２がウレタンのような樹脂系円筒形状となっている点が異なる。樹脂系の材料は弾性には富むが強度が不足するため、該胴体部１２の両端に金属系のインサート１３、１５が埋め込まれている。このメスネジを利用して、ネジ１４、１６で引掛部材１１および取付金具１０が確実に固定される構成となっている。
【図面の簡単な説明】
【００１２】
【図１】図１は電動カーテンと本発明の房掛金具を取り付けた状況を全体構成を示すものである。
【図２】本発明による房掛金具の実施例を断面図で示したものである。
【図３】本発明による房掛金具の他の実施例を断面図で示したものである。
【符号の説明】
【００１３】
１  電動カーテン  
２  ランナ  
３  カーテン  
４  房 
５  固定側房紐  
６  引掛側房紐  
７  柱  
８  房掛金具  
【図１】
2008035980.tif 000003
【図２】
2008035980.tif 000004
【図３】
2008035980.tif 000005